(57)【特許請求の範囲】
【請求項１】
マイクロホンボディに内蔵されているマイクユニットを覆うように、前記マイクロホンボディの先端部に風防の下端部を取付けるマイクロホンの風防取付装置において、
前記マイクロホンボディの先端部にネジ込みによって取り付けられた前記風防の下端部外周に、前記マイクロホンボディの先端部と前記風防の下端部との取り付け状態をロックするロック部材が、前記ネジ込みとはネジ込み方向が逆になるようにネジ込まれて装着されていることを特徴とするマイクロホンの風防取付装置。
【発明の詳細な説明】
【０００１】
【発明の属する技術分野】
本発明は、マイクユニットを内蔵したマイクロホンボディの先端部に風防を取付けるためのマイクロホンの風防取付装置に関する。
【０００２】
【従来の技術】
マイクロホンは、音圧変化を電気信号に変換する音響機器であり、音圧の変化によってマイクユニットのダイヤフラムが振動すると、ボイスコイルが磁束を横切ることにより、ボイスコイルの末端に振動速度に応じた電圧を発生させるようにしたものであり、一般にマイクロホンボディに風防が装着された形態がとられている。
【０００３】
ところで、マイクロホンボディに風防を装着するに際しては、たとえば図３に示すように、図示省略のマイクユニットが内蔵されているマイクロホンボディ１０の先端部の嵌合突部１１の外周面に形成されている雄ネジ部１２に、風防２０のアンダーリング部２１の内周面に形成されている雌ネジ部２２をネジ込むようにしたものがある。
【０００４】
また、図４に示すように、マイクロホンボディ１０の先端部の嵌合突部１１に形成されているＬ字形状の係合溝１３に、風防２０のアンダーリング部２１の内周面に突設されている係合ピン２３を係合させて風防２０を廻し、係合ピン２３を係合溝１３の下段終端部に当接させた状態で、止めネジ２４をアンダーリング部２１に装着し、マイクロホンボディ１０に風防２０を固定するようにしたものもある。
【０００５】
【発明が解決しようとする課題】
ところが、上述した前者の風防２０の取付け方法では、マイクロホンボディ１０の嵌合突部１１に風防２０のアンダーリング部２１を単にネジ込むようになっているため、誰もが簡単に風防２０をマイクロホンボディ１０から取り外すことができ、不用意に風防２０をマイクロホンボディ１０から取り外してしまうと、マイクロホンボディ１０内部のマイクユニットに容易に触れることができるので、マイクユニットへの不用意な接触によってマイクユニットの破損を招いてしまうおそれがある。
【０００６】
一方、上述した後者の風防２０の取付け方法では、止めネジ２４が緩んでしまうと、風防２０のアンダーリング部２１がガタ付いてしまうことから、通常、止めネジ２４に接着剤を塗布して緩まないようにしている。そのため、止めネジ２４の取り外しが極めて困難であり、たとえば修理のために風防２０を取り外そうとした場合、止めネジ２４の取り外しに手間取り、速やかな修理を行うことができないという不具合を生じる。
【０００７】
本発明は、このような事情に対処して成されたもので、不用意な風防の取り外しを阻止してマイクユニットの破損を防止するとともに、修理の際には風防の取り外しを容易に行うことができるマイクロホンの風防取付装置を提供することを目的とする。
【０００８】
【課題を解決するための手段】
本発明は、上記目的を達成するために、マイクロホンボディに内蔵されているマイクユニットを覆うように、前記マイクロホンボディの先端部に風防の下端部を取付けるマイクロホンの風防取付装置において、前記マイクロホンボディの先端部にネジ込みによって取り付けられた前記風防の下端部外周に、前記マイクロホンボディの先端部と前記風防の下端部との取り付け状態をロックするロック部材が、前記ネジ込みとはネジ込み方向が逆になるようにネジ込まれて装着されていることを特徴とする。
【０００９】
【作用】
本発明のマイクロホンの風防取付装置では、マイクロホンボディの先端部にマイクユニットを覆うように風防の下端部をネジ込みによって取付けた後、風防の下端部外周に、マイクロホンボディの先端部と風防の下端部との取り付け状態をロックするロック部材をネジ込みにより装着し、ロック部材のネジ込みは、マイクロホンボディの先端部と風防の下端部とのネジ込みとはネジ込み方向が逆になるようにしたので、ロック部材を風防の下端部に装着した状態では風防の取り外し方向への回転がロック部材による螺合によって阻止されることになり、マイクロホンボディの先端部から風防が取り外されるのを阻止する。
【００１０】
一方、マイクロホンボディの先端部から風防を取り外す場合には、まずロック部材を取り外し、マイクロホンボディの先端部と風防の下端部とのロック状態を解除することにより、マイクロホンボディの先端部からの風防の取り外しを行うことができる。
【００１１】
【発明の実施の形態】
以下、本発明の実施の形態の詳細を図面に基づいて説明する。なお、以下に説明する図において、図３及び図４と共通する部分には同一符号を付し重複する説明を省略する。
【００１２】
図１及び図２は、本発明のマイクロホンの風防取付装置の一実施の形態を示すものである。これらの図に示すように、マイクロホンボディ１０の握り部１４には、ＯＮ−ＯＦＦ方向にスライド自在とされたＯＮ／ＯＦＦスイッチ１５が設けられており、ネジ１６によって着脱自在とされている保持部材１７を取り外すことにより、ＯＮ／ＯＦＦスイッチ１５をマイクロホンボディ１０から取り外すことができるようになっている。
【００１３】
マイクロホンボディ１０の雄ネジ部１２を有する嵌合突部１１には、ロック部材としてのロックリング３０の係合段部３１を係合するための係合段部１８が設けられている。
【００１４】
ロックリング３０の内周面には、風防２０のアンダーリング部２１の雌ネジ部２２とは逆向きの雌ネジ部３２が形成されており、風防２０のアンダーリング部２１の外周面に形成されている雄ネジ部２３に螺着されている。
【００１５】
ここで、ロックリング３０をアンダーリング部２１に装着する場合には、マイクロホンボディ１０の下端部１９側からロックリング３０の中空部３３を挿通し、ロックリング３０の雌ネジ部３２をアンダーリング部２１の雄ネジ部２３にネジ込む。このとき、ロックリング３０をネジ込んでいくと、マイクロホンボディ１０の嵌合突部１１に設けられている係合段部１８にロックリング３０の係合段部３１が係合され、ロックリング３０のネジ込み量が規制される。
【００１６】
またこのとき、アンダーリング部２１に対するロックリング３０のネジ込み方向は、マイクロホンボディ１０の嵌合突部１１に対する風防２０のアンダーリング部２１のネジ込み方向とは逆向きとなるため、ロックリング３０をアンダーリング部２１に装着した状態では風防２０の取り外し方向への回転がロックリング３０による螺合によって阻止される。
【００１７】
マイクロホンボディ１０の嵌合突部１１に設けられている筒状の保持部４０には、マイクユニット５０が装着されている。すなわち、マイクユニット５０のリング状のダンパー５１及びヨーク５２が筒状の保持部４０内面に固着されている。ヨーク５２の内側には、抵抗材５３及びマグネット５４が固着されている。ヨーク５２とマグネット５４との間の磁気ギャップには、振動板５５に連結されたボイスコイル５６が挿入されている。
【００１８】
更に、ダンパー５１及びヨーク５２の上端部には、リングプレート５７が固着されている。振動板５５の上部には、ダンパー５１の外周に取り付けられたレゾネータ５８を介してフィルター５９が配設されている。また、マイクロホンボディ１０の嵌合突部１１に装着される風防２０のネット部２４は二分割構成とされており、リング状のヘッドリング２５によって両者が固定されている。更に、ネット部２４の内側に設けられているネット部２４と略同形状のウレタン２６と、ネット部２４との間には、インナーガード２７が介在されている。
【００１９】
このような構成では、マイクロホンボディ１０に風防２０を取付ける場合、次のようにして行われる。
まず、マイクロホンボディ１０の嵌合突部１１に形成されている雄ネジ部１２に風防２０のアンダーリング部２１の雌ネジ部２２をネジ込んだ後、マイクロホンボディ１０の下端部１９側からロックリング３０の中空部３３を挿通し、ロックリング３０の雌ネジ部３２をアンダーリング部２１の雄ネジ部２３にネジ込む。
【００２０】
このとき、ロックリング３０をネジ込んでいくと、マイクロホンボディ１０の嵌合突部１１に設けられている係合段部１８にロックリング３０の係合段部３１が係合され、ロックリング３０のネジ込み量が規制されるようになっているため、ロックリング３０のネジ込みが規制されるまで、ロックリング３０をアンダーリング部２１に確実にネジ込む。
【００２１】
これにより、ロックリング３０をアンダーリング部２１に装着した状態で、風防２０を取り外そうとしても、アンダーリング部２１の内側の雌ネジ部２２と外側の雄ネジ部２３との噛み合いが互いに逆向きとされているため、風防２０の取り外し方向への回転がロックリング３０による逆向きの噛み合いによって阻止されることになり、風防２０の不用意な取り外しが防止される。
【００２２】
一方、たとえば修理のために風防２０を取り外す場合には、次のようにして行う。
まず、ロックリング３０をアンダーリング部２１への装着の際のネジ込み方向とは逆向きに回転させ、アンダーリング部２１からロックリング３０を外し、ロックリング３０による風防２０のロック状態を解除する。
【００２３】
これにより、アンダーリング部２１に対するロックリング３０による逆向きの噛み合いが外されるため、風防２０をマイクロホンボディ１０の嵌合突部１１に対するネジ込み方向とは逆向きに回転させることによって、風防２０をマイクロホンボディ１０から取り外すことができる。
【００２４】
このように、本実施の形態では、マイクロホンボディ１０の嵌合突部１１にマイクユニット５０を覆うように風防２０のアンダーリング部２１をネジ込み嵌合した後、アンダーリング部２１の外周に、アンダーリング部２１のネジ込み方向とは逆向きの噛み合いをもつロックリング３０をネジ込み嵌合したので、風防２０の取り外し方向への回転がロックリング３０による逆向きの噛み合いによって阻止されることになり、風防２０の不用意な取り外しが防止されるので、マイクユニット５０に触れてしまう危険性がなくなり、マイクユニット５０の破損が防止される。
【００２５】
一方、マイクロホンボディ１０の嵌合突部１１から風防２０を取り外す場合には、ロックリング３０を取り外すことによって、マイクロホンボディ１０の嵌合突部１１と風防２０のアンダーリング部２１とのロック状態を解除することができるので、修理の際の風防２０の取り外しを容易に行うことができる。
【００２６】
なお、本実施の形態では、アンダーリング部２１の内外周面に雌ネジ部２２及び雄ネジ部２３を形成し、マイクロホンボディ１０の嵌合突部１１の外周面に形成された雄ネジ部１２との螺合と、ロックリング３０の内周面に形成されている雌ネジ部３２との螺合によって風防２０の不用意な取り外しを阻止する場合について説明したが、この例に限らず、たとえばマイクロホンボディ１０の嵌合突部１１と風防２０のアンダーリング部２１との嵌合を、図４に示した凹凸嵌合とし、アンダーリング部２１とロックリング３０とをネジ嵌合とするようにしてもよい。
【００２７】
また、この例に限らず、マイクロホンボディ１０の嵌合突部１１と風防２０のアンダーリング部２１との嵌合をネジ嵌合とし、アンダーリング部２１とロックリング３０とを凹凸嵌合としてもよく、更にはマイクロホンボディ１０の嵌合突部１１と風防２０のアンダーリング部２１との嵌合を凹凸嵌合とし、アンダーリング部２１とロックリング３０とを凹凸嵌合としてもよい。
【００２８】
【発明の効果】
以上説明したように、本発明のマイクロホンの風防取付装置によれば、マイクロホンボディの先端部にマイクユニットを覆うように風防の下端部をネジ込みによって取付けた後、風防の下端部外周に、マイクロホンボディの先端部と風防の下端部との取り付け状態をロックするロック部材をネジ込みにより装着し、ロック部材のネジ込みは、マイクロホンボディの先端部と風防の下端部とのネジ込みとはネジ込み方向が逆になるようにしたので、ロック部材を風防の下端部に装着した状態では風防の取り外し方向への回転がロック部材による螺合によって阻止されることになり、マイクロホンボディの先端部から風防が取り外されるのを阻止することができ、マイクユニットの破損を防止することができる。
【００２９】
一方、マイクロホンボディの先端部から風防を取り外す場合には、まずロック部材を取り外し、マイクロホンボディの先端部と風防の下端部とのロック状態を解除することにより、マイクロホンボディの先端部からの風防の取り外しを行うことができるので、修理の際の風防の取り外しを容易に行うことができる。
【図面の簡単な説明】
【図１】本発明のマイクロホンの風防取付装置の一実施の形態を示す断面図である。
【図２】図１のマイクロホンを示す正面図である。
【図３】従来のマイクロホンの風防の取付け方法を示す斜視図である。
【図４】従来のマイクロホンの風防の他の取付け方法を示す斜視図である。
【符号の説明】
１０  マイクロホンボディ
１１  嵌合突部
１４  握り部
１５  ＯＮ／ＯＦＦスイッチ
１２，２３  雄ネジ部
２０  風防
２１  アンダーリング部
２２，３２  雌ネジ部
３０  ロックリング
【図１】
0003556019.tif 000002
【図２】
0003556019.tif 000003
【図３】
0003556019.tif 000004
【図４】
0003556019.tif 000005